(57)【要約】【課題】電気回路によって生成したデュオバイナリ信号を光強度変調器を用いて光信号に変換する場合に比較して、簡易な構成でデュオバイナリ光信号を生成することが可能な送信装置及び送受信装置を提供する。【解決手段】送信装置１は、所定の信号周期を有する第１の光信号を出力する第２の光ファイバ６０２と、第２の光ファイバ６０２の第１の光信号が１周期分遅れた第２の光信号を出力する第３の光ファイバ６０３と、第２の光ファイバ６０２及び第３の光ファイバ６０３の出力側に接続され、第１の光信号及び第２の光信号を合波した送信信号を生成する光合波部２３とを備える。【選択図】図１
2012119836.tif 000002
【特許請求の範囲】
【請求項１】
所定の信号周期を有する第１の光信号を出力する第１の光伝送媒体と、
前記第１の光信号が１周期分遅れた第２の光信号を出力する第２の光伝送媒体と、
前記第１の光伝送媒体及び前記第２の光伝送媒体の出力側に接続され、前記第１の光信号及び前記第２の光信号を合波した第３の光信号を生成する光合波部とを備えた送信装置。
【請求項２】
入力した光信号を分岐して前記第１の光伝送媒体及び前記第２の光伝送媒体に出力する光分岐部をさらに備え、
前記第２の光伝送媒体の前記光分岐部側の端部から前記光合波部側の端部までの長さは、前記第１の光伝送媒体の前記光分岐部側の端部から前記光合波部側の端部までの長さよりも長く、前記第１及び第２の光伝送媒体の光路長の差は、前記１周期の間に前記第２の光伝送媒体を光が進む距離に相当する、請求項１に記載の送信装置。
【請求項３】
請求項１又は２に記載の送信装置と、
前記光合波部で生成された前記第３の光信号を受信して復号する受信装置と、
前記送信装置と前記受信装置との間を接続する第３の光伝送媒体と
を備えた送受信装置。
【発明の詳細な説明】
【技術分野】
【０００１】
本発明は、送信装置及び送受信装置に関する。
【背景技術】
【０００２】
従来、１つの信号周期で１ビットの情報を伝送する光送受信装置において、光ファイバ等の伝送路における前後のビットの信号との干渉を許容しながら誤りなく情報を伝送するデュオバイナリ伝送方式を用いたものが知られている（特許文献１参照）。
【０００３】
特許文献１に記載の光送信装置では、１ビット遅延器、排他的論理和回路、及び加算器からなる電気回路により２値（０，１）のデータ信号を３値（０，１，２）のデュオバイナリ信号に変換し、このデュオバイナリ信号を２分岐してその一方を反転回路で反転することにより、振幅が同じで互いに位相が反転したデュオバイナリ信号（−１，０，１）を生成し、これに比例した電圧をＭＺ型光強度変調器の電極にそれぞれ印加する。ＭＺ型光強度変調器では、半導体レーザの出力光がデュオバイナリ信号に比例した電圧に応じて強度変調され、光ファイバを介して受信側に伝送される。
【０００４】
受信側では、光ファイバから出力される変調光を検波回路で検波し、その検波信号を識別機で識別し、反転回路で反転することによりデータ信号を復調する。
【先行技術文献】
【特許文献】
【０００５】
【特許文献１】特開平８−１３９６８１号公報
【発明の概要】
【発明が解決しようとする課題】
【０００６】
本発明の目的は、電気回路によって生成したデュオバイナリ信号を光強度変調器を用いて光信号に変換する場合に比較して、簡易な構成でデュオバイナリ光信号を生成することが可能な送信装置及び送受信装置を提供することにある。
【課題を解決するための手段】
【０００７】
［１］所定の信号周期を有する第１の光信号を出力する第１の光伝送媒体と、前記第１の光信号が１周期分遅れた第２の光信号を出力する第２の光伝送媒体と、前記第１の光伝送媒体及び前記第２の光伝送媒体の出力側に接続され、前記第１の光信号及び前記第２の光信号を合波した第３の光信号を生成する光合波部とを備えた送信装置。
【０００８】
［２］入力した光信号を分岐して前記第１の光伝送媒体及び前記第２の光伝送媒体に出力する光分岐部をさらに備え、前記第２の光伝送媒体の前記光分岐部側の端部から前記光合波部側の端部までの長さは、前記第１の光伝送媒体の前記光分岐部側の端部から前記光合波部側の端部までの長さよりも長く、前記第１及び第２の光伝送媒体の光路長の差は、前記１周期の間に前記第２の光伝送媒体を光が進む距離に相当する、前記［１］に記載の送信装置。
【０００９】
［３］前記［１］又は［２］に記載の光送信装置と、前記光合波部で生成された前記第３の光信号を受信して復号する光受信装置と、前記光送信装置と前記光受信装置との間を接続する第３の光伝送媒体とを備えた送受信装置。
【発明の効果】
【００１０】
請求項１，３に記載の発明によれば、電気回路によって生成したデュオバイナリ信号を光強度変調器を用いて光信号に変換する場合に比較して、簡易な構成でデュオバイナリ光信号を生成することが可能となる。
【００１１】
請求項２に記載の発明によれば、２つの光伝送媒体の光路長の違いによって一方の光伝送媒体の信号を遅延させ、デュオバイナリ光信号を生成することができる。
【図面の簡単な説明】
【００１２】
【図１】本発明の第１の実施の形態に係る送受信装置の構成例を示す概略図である。
【図２】本発明の第１の実施の形態に係る送信装置の第２の光ファイバと第３の光ファイバの長さを比較した説明図である
【図３】本発明の第１の実施の形態に係る送信装置の動作例を示すグラフであり、（ａ）は入力信号、（ｂ）は第１の光信号、（ｃ）は第２の光信号、（ｄ）送信信号の時間的な変化をそれぞれ示す。
【図４】本発明の第１の実施の形態に係る復号部の回路構成の一例を示す回路図である。
【図５】本発明の第１の実施の形態に係る復号部の入力信号と復号信号との関係を示す表である。
【図６】本発明の第２の実施の形態に係る送受信装置の構成例を示す概略図である。
【図７】本発明の第３の実施の形態に係る送受信装置の構成例を示す概略図である。
【発明を実施するための形態】
【００１３】
［第１の実施の形態］
図１は、本発明の第１の実施の形態に係る送受信装置の構成例を示す概略図である。
【００１４】
この送受信装置１は、送信装置２と、受信装置３と、送信装置２及び受信装置３を接続する光伝送路４とを備えている。
【００１５】
（送信装置）
送信装置２は、電光変換部２１と、光分岐部２２と、光合波部２３と、第１〜第３の光ファイバ２０１〜２０３とを備えている。
【００１６】
電光変換部２１には、入力端子２ａが接続されている。この入力端子２ａには、所定の信号周期を有する２値（０，１）の電気信号が入力される。電光変換部２１は、入力端子２ａに入力された電気信号を同じく２値（０，１）の光信号に変換し、第１の光ファイバ２０１に入力する。
【００１７】
より詳細には、電光変換部２１は、入力端子２ａに入力された電気信号（以下、この電気信号を「入力信号」という。）がＨｉｇｈ（１）の場合には、発光ダイオード等の光源を発光させ、この発光による所定の強度の光を第１の光ファイバ２０１に入力する。また、入力された電気信号がＬｏｗ（０）の場合には、光源を発光させず、第１の光ファイバ２０１に光を入力しない。
【００１８】
この光源としては、共振器型発光ダイオード（ＲＣ−ＬＥＤ：Resonant-cavity Light-emitting Diode）や、半導体レーザを適用することも可能である。また、ＬｏｗからＨｉｇｈに信号が切り替わる際の発光遅延の問題をなくすために、入力信号がＬｏｗ（０）の場合でも、Ｈｉｇｈ（１）の場合と比較して十分低いレベルで発光させておくことも可能である。
【００１９】
第１の光ファイバ２０１は、電光変換部２１から入力された光信号を光分岐部２２に出力する。
【００２０】
光分岐部２２は、例えば２本の光ファイバを融着及び溶融延伸して形成した光分岐カプラからなる。この光分岐部２２は、第１の光ファイバ２０１が出力する光信号を分岐して、第２の光ファイバ２０２と第３の光ファイバ２０３とに入力する。第２の光ファイバ２０２は本発明の第１の光伝送媒体の一例であり、第３の光ファイバ２０３は本発明の第２の光伝送媒体の一例である。
【００２１】
なお、第１〜第３の光ファイバ２０１〜２０３は、例えばコア径がφ０．４８ｍｍのＳｉ系のＰＯＦ（Plastic Optical Fiber）を用いることができる。また、第１及び第２の光伝送媒体として、コア径がφ０．２ｍｍの石英ファイバ（ＨＰＣＦ:Hard Plastic Clad Fiber）を用いてもよい。
【００２２】
第２の光ファイバ２０２及び第３の光ファイバ２０３は、入力された光を光合波部２３に出力する。
【００２３】
光合波部２３は、第２の光ファイバ２０２が出力する第１の光信号、及び第３の光ファイバ２０３が出力する第２の光信号を合波し、これら両光信号の強度が足し合わされた強度の第３の光信号を生成する。この光合波部２３は、例えば２本の光ファイバを融着及び溶融延伸して形成した光分岐カプラを逆向きに用いることにより実現可能である。また、光合波部２３は、生成した第３の光信号を光伝送路４に出力する。以下、光合波部２３が出力する光信号を「送信信号」という。
【００２４】
ここで、第２の光ファイバ２０２と第３の光ファイバ２０３とは、光分岐部２２側の入力端部から光合波部２３側の出力端部までの長さが異なり、第３の光ファイバ２０３は、第２の光ファイバ２０２よりも光路長が長く形成されている。
【００２５】
図２は、第２の光ファイバ２０２と第３の光ファイバ２０３とを平行に並べた状態を模式的に示す説明図である。
【００２６】
図２に示すように、第３の光ファイバ２０３は、光分岐部２２側の一端部の入射面２０３ａから光合波部２３側の他端部の出射面２０３ｂまでの距離がＬ２であり、第２の光ファイバ２０２は、光分岐部２２側の一端部の入射面２０２ａから光合波部２３側の他端部の出射面２０２ｂまでの距離がＬ１である。Ｌ２はＬ１よりも長く、Ｌ１とＬ２との長さの差はΔＬである。
【００２７】
このΔＬの長さは、入力信号の１周期分の時間に第２の光ファイバ２０２及び第３の光ファイバ２０３を光が進む距離に相当する。すなわち、第３の光ファイバ２０３が光合波部２３に出力する光信号は、第２の光ファイバ２０２が光合波部２３に出力する光信号よりも１周期分遅れた信号となる。
【００２８】
第２の光ファイバ２０２及び第３の光ファイバ２０３のコアの屈折率をｎ、真空中の光の速度をｃ０（ｍ／ｓ）、入力信号の１周期分の周波数をｆ（Ｈｚ）とすると、光路長の差にあたるΔＬはｃ０／ｎ／ｆに相当する。例えば、第２の光ファイバ２０２及び第３の光ファイバ２０３の屈折率を１．５、入力信号の伝送速度を１Ｇｂｐｓ（周波数を１ＧＨｚ）、ｃ０＝３×１０８（ｍ／ｓ）とすると、上記の演算式により、ΔＬ＝０．２ｍとなる。
【００２９】
（送信装置の動作）
図３は、入力信号、第２の光ファイバ２０２及び第３の光ファイバ２０３の光出力信号、及び送信信号の時間的な変化の一例を示すグラフであり、（ａ）は入力信号の変化を、（ｂ）は第２の光ファイバ２０２が出力する第１の光信号の変化を、（ｃ）は第３の光ファイバ２０３が出力する第２の光信号の変化を、（ｄ）は光合波部２３が出力する送信信号の変化を、それぞれ示す。
【００３０】
入力信号は、図３（ａ）に示すように、所定の信号周期ｔ（例えば１ｎｓ）で０又は１の値をとる。入力信号の変化は、電光変換部２１の応答時間や、第１の光ファイバ２０１及び第２の光ファイバ２０２を光信号が伝播する時間による遅れをもって第２の光ファイバ２０２の出力（第１の光信号）に表れる。また、第２の光ファイバ２０２の出力からさらに、上記ΔＬの長さに応じた１周期分の遅れをもって信号の変化が第３の光ファイバ２０３の出力（第２の光信号）に表れる。
【００３１】
送信信号は、図３（ｃ）に示すように、第２の光ファイバ２０２の光信号の強度と第３の光ファイバ２０３の光信号の強度とを足し合わせた強度の光信号となる。例えば、入力信号が１の場合の第２の光ファイバ２０２及び第３の光ファイバ２０３の強度を１とすると、第２の光ファイバ２０２及び第３の光ファイバ２０３の光信号の強度が共に１の場合は送信信号の光強度は２となる。第２の光ファイバ２０２又は第３の光ファイバ２０３の何れか一方の光信号の強度が１の場合は、送信信号の光強度は１となる。第２の光ファイバ２０２及び第３の光ファイバ２０３の光信号の強度が共に０の場合は送信信号の光強度は０となる。
【００３２】
このように、送信装置２は、２値（０，１）の電気信号を３値（０，１，２）の光信号に変換したデュオバイナリ信号を、光伝送路４を介して受信回路３に送信する。
【００３３】
（光伝送路）
光伝送路４は、本発明の第３の光伝送媒体の一例であり、一本の光ファイバから構成してもよく、複数の光ファイバを光ファイバカプラで相互に連結して構成してもよい。また、複数の光ファイバの間に中継増幅器を介在させてもよい。
【００３４】
（受信装置）
受信回路３は、図１に示すように、光電変換部３１と、ＡＤ変換部３２と、復号部３３とを備える。復号部３３には出力端子３ａが接続されている。
【００３５】
光電変換部３１は、光伝送路４から出力される光信号を電気信号に変換及び増幅して出力する。光電変換部３１が出力される電気信号は、光伝送路４を介して送信される光信号の強度に応じた３値（０，１，２）の信号レベルを有する。
【００３６】
ＡＤ変換部３２は、光電変換部３１から出力された電気信号をアナログ・デジタル変換し、２ビットの信号を出力する。すなわち、ＡＤ変換部３２は、光電変換部３１が高レベルの信号（２）を出力した場合には上位ビット：１、下位ビット：０からなる２ビットの信号を出力する。光電変換部３１が中レベルの信号（１）を出力した場合には上位ビット：０、下位ビット：１からなる２ビットの信号を出力する。また、光電変換部３１が低レベルの信号（０）を出力した場合には上位ビット：０、下位ビット：０からなる２ビットの信号を出力する。ＡＤ変換部３２は、この２ビットの信号を復号部３３に出力する。
【００３７】
復号部３３は、ＡＤ変換部３２から入力された２ビットの信号に基づいて、送信装置２の入力端子２ａに入力された入力信号を復号し、出力端子３ａから出力する。
【００３８】
図４は、復号部３３の回路構成の一例を示す回路図である。この例では、復号部３３は、下位ビットの信号がインバータ３３１で反転された信号及び上位ビットの信号を入力する第１の論理積回路３３３と、上位ビットの信号がインバータ３３２で反転された信号、下位ビットの信号、及びＤフリップフロップ回路３３６の￣Ｑ信号を入力する第２の論理積回路３３３と、第１の論理積回路３３３の出力及び第２の論理積回路３３４の出力を入力する論理和回路３３５とを有している。
【００３９】
論理和回路３３５の出力は、出力端子３ａから外部に出力されると共に、Ｄフリップフロップ回路３３６のＤ入力端子に入力される。また、Ｄフリップフロップ回路３３６のクロック入力端子には、図略のクロック信号発生回路から、送信装置２の入力信号の信号周期と同一周期のクロック信号が入力される。これにより、Ｄフリップフロップ回路３３６の￣Ｑ信号は、出力端子３ａから出力される信号（以下、この信号を「復号信号」という。）が１周期分遅れた信号を反転した信号、すなわち直前の復号信号となる。
【００４０】
図５は、上記のように構成された復号部３３に入力される上位ビット及び下位ビットの信号と、復号部３３の出力である復号信号との関係を示す表である。この表に示すように、上位ビット及び下位ビットの信号が共に０の場合は、直前の復号信号に関わりなく復号信号が０であり、上位ビットが１，下位ビットが０の場合は、直前の復号信号に関わりなく復号信号が１である。また、上位ビットが０，下位ビットが１の場合、直前の復号信号が０であれば復号信号が１となり、直前の復号信号が１であれば復号信号が０となる。
【００４１】
復号部３３がこのように復号処理を行うことにより、送信装置２の入力信号を再現した復号信号が出力端子３ａから出力される。
【００４２】
上記のように構成された送受信装置１によれば、第２の光ファイバ２０２と第３の光ファイバ２０３との光路長の差に基づいてデュオバイナリ信号を生成することができ、例えば長距離伝送を行う場合に発生し得るシンボル間干渉を許容した伝送を行うことができる。
【００４３】
［第２の実施の形態］
次に、本発明の第２の実施の形態について図６を参照して説明する。
図６は、本実施の形態に係る送受信装置の構成例を示す概略図である。この送受信装置１Ａは、送信装置５、受信装置３、及び光伝送路４を備えるが、受信装置３及び光伝送路４の構成は第１の実施の形態について説明したものと同様であるので、同一の符号を付してその説明を省略する。
【００４４】
本実施の形態に係る送信装置５は、入力端子５ａと、入力端子５ａに直接的に接続された第１の電光変換部５１と、入力端子５ａに遅延回路５０を介して接続された第２の電光変換部５２と、第１の電光変換部５１に接続された第１の光ファイバ５０１及び第２の電光変換部５２に接続された第２の光ファイバ５０２に接続された光合波部５３とを備えている。第１の光ファイバ５０１は本発明の第１の光伝送媒体の一例である。第２の光ファイバ５０２は本発明の第２の光伝送媒体の一例である。
【００４５】
第１の電光変換部５１は、入力端子５ａに入力された入力信号を、遅延回路を介することなく受け付け、この入力信号がＨｉｇｈ（１）の場合には、所定の強度の光を第１の光ファイバ５０１に出力する。また、入力信号がＬｏｗ（０）の場合には、光源を発光させず、第１の光ファイバ５０１に光を出力しない。
【００４６】
遅延回路５０は、入力端子５ａに入力される電気信号の１信号周期分に相当する遅延を発生させる回路である。この遅延回路５０は、例えば周期的信号（ＣＬＫ等）に同期させたフリップフロップ回路により実現可能である。
【００４７】
第２の電光変換部５２は、遅延回路５０によって遅延された入力信号を受け付け、この信号がＨｉｇｈ（１）の場合には、発光ダイオード等の光源を発光させ、この発光による所定の強度の光を第２の光ファイバ５０２に入力する。また、信号がＬｏｗ（０）の場合には、光源を発光させず、第２の光ファイバ５０２に光を入力しない。
【００４８】
第１の光ファイバ５０１は、第１の電光変換部５１から入力された光信号を光合波部５３に出力する。また、第２の光ファイバ５０２は、第２の電光変換部５２から入力された光信号を光合波部５３に出力する。第１の光ファイバ５０１及び第２の光ファイバ５０２は、それらの光路長が同じであるものとする。
【００４９】
光合波部５３は、第１の光ファイバ５０１から入力される第１の光信号、及び第２の光ファイバ５０２から入力される第２の光信号を合波し、第１及び第２の光信号の強度が足し合わされた第３の光信号を生成する。また、光合波部５３は、生成した第３の光信号を送信信号として光伝送路４に出力する。
【００５０】
この送信装置５は、第１の実施の形態について説明した送信装置１と同様の送信信号を出力する。すなわち、例えば図３（ａ）に示す入力信号が入力端子５ａに入力された場合、第１の光ファイバ５０１からは図３（ｂ）に示す波形の第１の光信号が出力され、第２の光ファイバ５０２からは図３（ｃ）に示す波形の第２の光信号が出力される。そして、光合波部５３から図３（ｄ）に示す波形の第３の光信号（送信信号）が出力される。
【００５１】
［第３の実施の形態］
次に、本発明の第３の実施の形態について図７を参照して説明する。
図７は、本実施の形態に係る送受信装置の構成例を示す概略図である。この送受信装置１Ｂは、送信装置６、受信装置３、及び光伝送路４を備えるが、受信装置３及び光伝送路４の構成は第１の実施の形態について説明したものと同様であるので、同一の符号を付してその説明を省略する。
【００５２】
本実施の形態に係る送信装置６は、入力端子６ａと、入力端子６ａに接続された第１の電光変換部６１と、第１の電光変換部６１に第１の光ファイバ６０１を介して接続された光分岐部６２と、光分岐部６２に第３の光ファイバ６０３を介して接続された光電変換部６３と、光電変換部６３に接続された遅延回路６４と、遅延回路６４に接続された第２の電光変換部６５と、光分岐部６２に第２の光ファイバ６０２を介して、また第２の電光変換部６５に第４の光ファイバ６０４を介してそれぞれ接続された光合波部６６とを備えている。
【００５３】
第２の光ファイバ６０２は本発明の第１の光伝送媒体の一例である。第４の光ファイバ６０４は本発明の第２の光伝送媒体の一例である。
【００５４】
第１の電光変換部６１は、入力端子６ａに入力された入力信号を受け付け、この入力信号がＨｉｇｈ（１）の場合には、所定の強度の光を第１の光ファイバ６０１に出力する。また、入力信号がＬｏｗ（０）の場合には、光源を発光させず、第１の光ファイバ６０１に光を出力しない。第１の光ファイバ６０１は、第１の電光変換部６１から入力された光信号を光分岐部６２に出力する。
【００５５】
光分岐部６２は、第１の光ファイバ６０１から出力された光信号を第２の光ファイバ６０２及び第３の光ファイバ６０３に分岐して出力する。第２の光ファイバ６０２に入力された光信号は、直接的に光合波部６６に出力される。第３の光ファイバ６０３に入力された光信号は、光電変換部６３に出力される。
【００５６】
光電変換部６３は、第３の光ファイバ６０３から出力された光信号を電気信号に変換し、遅延回路６４に出力する。遅延回路６４の出力は第２の電光変換部６５に入力される。第２の電光変換部６５は、入力された電気信号を第４の光ファイバ６０４を介して光合波部６６に出力する。
【００５７】
遅延回路６４の遅延時間は、第２の光ファイバ６０２から出力される第１の光信号に対して、第４の光ファイバ６０４から出力される第２の光信号に入力信号の１信号周期分の遅延が発生するように設定されている。なお、第３の光ファイバ６０３及び第４の光ファイバ６０４の光路長の合計と、第２の光ファイバ６０２の光路長とを同じにすれば、遅延回路６４の遅延時間を入力信号の信号周期に合わせて設定することができる。
【００５８】
光合波部６６は、第２の光ファイバ６０２から入力される第１の光信号、及び第４の光ファイバ６０４から入力される第２の光信号を合波し、第１及び第２の光信号の強度が足し合わされた第３の光信号を生成する。また、光合波部６６は、生成した第３の光信号を送信信号として光伝送路４に出力する。
【００５９】
この送信装置６は、第１の実施の形態について説明した送信装置１と同様の送信信号を出力する。すなわち、例えば図３（ａ）に示す入力信号が入力端子６ａに入力された場合、第２の光ファイバ６０２からは図３（ｂ）に示す波形の第１の光信号が出力され、第４の光ファイバ６０４からは図３（ｃ）に示す波形の第２の光信号が出力される。そして、光合波部６６から図３（ｄ）に示す波形の第３の光信号（送信信号）が出力される。
【００６０】
［他の実施の形態］
なお、本発明は、上記各実施の形態に限定されず、本発明の趣旨を逸脱しない範囲内で種々な変形が可能である。
【００６１】
例えば、上記第１の実施の形態では、第２の光ファイバ２０２と第３の光ファイバ２０３に同じ屈折率のものを用い、これらの長さの違いによって光信号の遅延を発生させたが、これに限らず、第２の光ファイバ２０２と第３の光ファイバ２０３との屈折率の違い、又は屈折率及び長さの違いによって光路長（＝実際の距離×屈折率：光学的距離）の差を設け、この差に基づいて光信号の遅延を発生させてもよい。
【００６２】
また、上記第２の実施の形態では、遅延回路５０によって信号の遅延を発生させたが、遅延回路５０による遅延、及び第１の光ファイバ５０１と第２の光ファイバ５０２の光路長による遅延の組み合わせによって１周期分の光信号の遅延を発生させてもよい。
【００６３】
また、上記第３の実施の形態では、光分岐部６２から光合波部６６に至る２つの経路のうちの一方に遅延回路６４を介在させたが、これに限らず、両方の経路に遅延回路を介在させ、その遅延時間の差によって１周期分の光信号の遅延を発生させてもよい。
【符号の説明】
【００６４】
１，１Ａ，１Ｂ…送受信装置、２…送信装置、２ａ…入力端子、３…受信装置、３ａ…出力端子、４…光伝送路、５…送信装置、５ａ…入力端子、６…送信装置、６ａ…入力端子、２１…電光変換部、２２…光分岐部、２３…光合波部、３１…光電変換部、３２…ＡＤ変換部、３３…復号部、５０…遅延回路、５１…第１の電光変換部、５２…第２の電光変換部、５３…光合波部、６１…第１の電光変換部、６２…光分岐部、６３…光電変換部、６４…遅延回路、６５…第２の電光変換部、６６…光合波部、２０１…第１の光ファイバ、２０２…第２の光ファイバ、２０３…第３の光ファイバ、２０２ａ，２０３ａ…入射面、２０２ｂ，２０３ｂ…出射面、３３１，３３２…インバータ、３３３，３３４，３３５…論理和回路、３３６…フリップフロップ回路、５０１…第１の光ファイバ、５０２…第２の光ファイバ、６０１…第１の光ファイバ、６０２…第２の光ファイバ、６０３…第３の光ファイバ、６０４…第４の光ファイバ
【図１】
2012119836.tif 000003
【図２】
2012119836.tif 000004
【図３】
2012119836.tif 000005
【図４】
2012119836.tif 000006
【図５】
2012119836.tif 000007
【図６】
2012119836.tif 000008
【図７】
2012119836.tif 000009